(57)【要約】【課題】接着剤を使用せずに折り上げて包装容器とすることができるシート体であって、折り上げた状態が維持されると共に、折り上げた状態を解き拡げて平面状態に戻すことを可能とする技術を提供する。【解決手段】本発明のシート体Ｓ１は、口折り返し部８−１（８−２）が、第一面領域部１Ａ（又は第三面領域部３Ａ）と、折り重なる二つの折り込み連結部７−１，７−４（７−２，７−３）の縁部付近を共に被覆して折り込むように設けられている。ゆえに、シート体を折り上げた包装容器１０は、底面領域部５Ａからなる底面部５と、第一面領域部及び第三面領域部からなる正面部１及び背面部３と、第二面領域部２Ａ及び第四面領域部４Ａからなる右面襠部２及び左面襠部４と、を有する上方開口型の立体的形状となり、口折り返し部は、折り上げた状態を解き拡げるために容易に伸張可能な折り込みとなっている。【選択図】図１
2019034746.tif 000002
【特許請求の範囲】
【請求項１】
物品を収容することが可能な立体的形状の袋体へ折り上げると共に、折り上げた状態を解き拡げて平面状態に戻すことを可能とするシート体であって、
中央に配された底面領域部と、
前記底面領域部を挟んで対向する二方にそれぞれ連設された第一面領域部及び第三面領域部と、
前記底面領域部を挟んで他の対向する二方にそれぞれ連設された第二面領域部及び第四面領域部と、
前記第一面領域部と前記第二面領域部、前記第二面領域部と前記第三面領域部、前記第三面領域部と前記第四面領域部、前記第一面領域部と前記第四面領域部、とに共に隣接する各位置にあたる四方にそれぞれ連設された四つの折り込み連結部と、
前記第一面領域部及び前記三面領域部において、前記底面領域部と対向する位置にそれぞれ連設された二つの口折り返し部と、
前記底面領域部と前記第一面領域部、前記底面領域部と前記第二面領域部、前記底面領域部と前記第三面領域部、前記底面領域部と前記第四面領域部、前記第一面領域部と前記各折り込み連結部、前記第二面領域部と前記各折り込み連結部、前記第三面領域部と前記各折り込み連結部、前記第四面領域部と前記各折り込み連結部、及び前記第一面領域部と前記口折り返し部、前記第三面領域部と前記口折り返し部、との各境界にそれぞれ設けられた谷折り用の折り線と、
前記底面領域部と前記第一面領域部、前記底面領域部と前記第二面領域部、前記第一面領域部と前記折り込み連結部、前記第二面領域部と前記折り込み連結部、との各境界が互いに接する点、前記底面領域部と前記第二面領域部、前記底面領域部と前記第三面領域部、前記第二面領域部と前記折り込み連結部、前記第三面領域部と前記折り込み連結部、との各境界が互いに接する点、前記底面領域部と前記第三面領域部、前記底面領域部と前記第四面領域部、前記第三面領域部と前記折り込み連結部、前記第四面領域部と前記折り込み連結部、との各境界が互いに接する点、前記底面領域部と前記第一面領域部、前記底面領域部と前記第四面領域部、前記第一面領域部と前記折り込み連結部、前記第四面領域部と前記折り込み連結部、との各境界が互いに接する点、よりそれぞれが接する前記各折り込み連結部を二分するように外縁に向かってそれぞれ設けられた山折り用の折り線と、
を備え、
前記口折り返し部は、前記第一面領域部又は前記第三面領域部と折り重なる二つの前記折り込み連結部の縁部付近を共に被覆することとなるよう折り込み可能にそれぞれ設けられていることを特徴とする製袋可能なシート体。
【請求項２】
前記折り線部分は、凹状もしくは凸状のスジ加工が施されていることを特徴とする請求項１に記載の製袋可能なシート体。
【請求項３】
一枚のシート体を用いて立体的形状に折り上げられていると共に、折り上げた状態を解き拡げて平面状態とすることを可能とする、物品を収容することが可能な包装容器であって、
前記シート体は、
中央に配された底面領域部と、
前記底面領域部を挟んで対向する二方にそれぞれ連設された第一面領域部及び第三面領域部と、
前記底面領域部を挟んで他の対向する二方にそれぞれ連設された第二面領域部及び第四面領域部と、
前記第一面領域部と前記第二面領域部、前記第二面領域部と前記第三面領域部、前記第三面領域部と前記第四面領域部、前記第一面領域部と前記第四面領域部、とに共に隣接する各位置にあたる四方にそれぞれ連設された四つの折り込み連結部と、
前記第一面領域部及び前記三面領域部において、前記底面領域部と対向する位置にそれぞれ連設された二つの口折り返し部と、
前記底面領域部と前記第一面領域部、前記底面領域部と前記第二面領域部、前記底面領域部と前記第三面領域部、前記底面領域部と前記第四面領域部、前記第一面領域部と前記各折り込み連結部、前記第二面領域部と前記各折り込み連結部、前記第三面領域部と前記各折り込み連結部、前記第四面領域部と前記各折り込み連結部、及び前記第一面領域部と前記口折り返し部、前記第三面領域部と前記口折り返し部、との各境界にそれぞれ設けられた谷折り用の折り線と、
前記底面領域部と前記第一面領域部、前記底面領域部と前記第二面領域部、前記第一面領域部と前記折り込み連結部、前記第二面領域部と前記折り込み連結部、との各境界が互いに接する点、前記底面領域部と前記第二面領域部、前記底面領域部と前記第三面領域部、前記第二面領域部と前記折り込み連結部、前記第三面領域部と前記折り込み連結部、との各境界が互いに接する点、前記底面領域部と前記第三面領域部、前記底面領域部と前記第四面領域部、前記第三面領域部と前記折り込み連結部、前記第四面領域部と前記折り込み連結部、との各境界が互いに接する点、前記底面領域部と前記第一面領域部、前記底面領域部と前記第四面領域部、前記第一面領域部と前記折り込み連結部、前記第四面領域部と前記折り込み連結部、との各境界が互いに接する点、よりそれぞれが接する前記各折り込み連結部を二分するように外縁に向かってそれぞれ設けられた山折り用の折り線と、
を備え、
前記シート体を折り上げた包装容器は、前記底面領域部によって形成された底面部と、前記第一面領域部及び前記第三面領域部の起き上がりによって形成された正面部及び背面部と、前記第二面領域部及び前記第四面領域部の起き上がりによって形成された右側面部及び左側面部と、を有する上方開口型の立体的形状となり、
前記口折り返し部は、前記正面部又は前記背面部と折り重なる二つの前記折り込み連結部の縁部付近を共に被覆するように前記正面部又は前記背面部へ向かって折り込まれていると共に、折り上げた状態を解き拡げるために容易に伸張可能な折り込みとなっていることを特徴とする展開可能な包装容器。
【請求項４】
前記正面部もしくは前記背面部と、二つの前記折り込み連結部と、前記口折り返し部とがそれぞれ重なった部分に、これらを貫通する少なくとも一対の孔部をさらに備えていることを特徴とする請求項３に記載の展開可能な包装容器。
【請求項５】
内面に、折り上げた状態を解き拡げて平面状態に戻すことで確認できるメッセージ欄を備えていることを特徴とする請求項３又は４に記載の展開可能な包装容器。
【請求項６】
内面に、折り上げた状態を解き拡げて平面状態に戻すことで確認できる所望の印刷が施されていることを特徴とする請求項３又は４に記載の展開可能な包装容器。
【請求項７】
複数枚のシート体が一縁側において互いに連結され、かつ、一枚ずつ容易に剥がし取ることができるように積層状態に構成され、一枚のシート体を折り上げることにより、物品を収容することが可能な立体的形状の袋体とすることができると共に、折り上げた状態を解き拡げて平面状態に戻すことを可能とする物品であって、
前記シート体は、
中央に配された底面領域部と、
前記底面領域部を挟んで対向する二方にそれぞれ連設された第一面領域部及び第三面領域部と、
前記底面領域部を挟んで他の対向する二方にそれぞれ連設された第二面領域部及び第四面領域部と、
前記第一面領域部と前記第二面領域部、前記第二面領域部と前記第三面領域部、前記第三面領域部と前記第四面領域部、前記第一面領域部と前記第四面領域部、とに共に隣接する各位置にあたる四方にそれぞれ連設された四つの折り込み連結部と、
前記第一面領域部及び前記三面領域部において、前記底面領域部と対向する位置にそれぞれ連設された二つの口折り返し部と、
前記底面領域部と前記第一面領域部、前記底面領域部と前記第二面領域部、前記底面領域部と前記第三面領域部、前記底面領域部と前記第四面領域部、前記第一面領域部と前記各折り込み連結部、前記第二面領域部と前記各折り込み連結部、前記第三面領域部と前記各折り込み連結部、前記第四面領域部と前記各折り込み連結部、及び前記第一面領域部と前記口折り返し部、前記第三面領域部と前記口折り返し部、との各境界にそれぞれ設けられた谷折り用の折り線と、
前記底面領域部と前記第一面領域部、前記底面領域部と前記第二面領域部、前記第一面領域部と前記折り込み連結部、前記第二面領域部と前記折り込み連結部、との各境界が互いに接する点、前記底面領域部と前記第二面領域部、前記底面領域部と前記第三面領域部、前記第二面領域部と前記折り込み連結部、前記第三面領域部と前記折り込み連結部、との各境界が互いに接する点、前記底面領域部と前記第三面領域部、前記底面領域部と前記第四面領域部、前記第三面領域部と前記折り込み連結部、前記第四面領域部と前記折り込み連結部、との各境界が互いに接する点、前記底面領域部と前記第一面領域部、前記底面領域部と前記第四面領域部、前記第一面領域部と前記折り込み連結部、前記第四面領域部と前記折り込み連結部、との各境界が互いに接する点、よりそれぞれが接する前記各折り込み連結部を二分するように外縁に向かってそれぞれ設けられた山折り用の折り線と、
を備え、
前記シート体は、少なくとも一面側にメッセージ欄を備え、前記折り線部に沿って折り上げて物品を収容することが可能な立体的形状とした際、前記メッセージ欄は露呈せず、折り上げた状態を解き拡げて平面状態に戻した際、前記メッセージ欄に記載された内容の確認ができるものとなることを特徴とする製袋可能なメッセージ帳。
【発明の詳細な説明】
【技術分野】
【０００１】
本願発明は、接着剤を使用せずに折り上げることで包装容器とすることができる製袋可能なシート体と、このシート体を用いて折り上げられ、折り上げた状態が維持されると共に、折り上げた状態を解き拡げて平面状態に戻すことを可能とする展開可能な包装容器、及び製袋可能なシート体と同じ構造のシート体を用いた製袋可能なメッセージ帳に関する。
【背景技術】
【０００２】
接着剤を使用せずに、一枚のシート体を折り畳むだけで形成することができる包装容器が既に幾つか提案されている（たとえば、特許文献１乃至３を参照）。
しかしながら、上述した特許文献１乃至３に記載された構造の包装容器では、正面部又は背面部と隣り合った側面部との間に形成される折り込み部分を、正面部もしくは背面部に沿って単に重ね合わせているだけに過ぎない。そのため、折り込み部分が自然と開いてしまい、開口部を遮って物品を収容に支障をきたしてしまうおそれがある。また、折り込み部分が固定されていないことから、折り畳んだシート体の折り上げた状態が容易に解かれ、平面状態に戻ってしまうおそれもあった。
【０００３】
そこで、接着剤を使用せずに、一枚のシート体を折り畳むだけで包装容器（袋）を形成することができると共に、折り畳んだシート体の折り上げた状態が容易に解かれないようにしたものとして、正面部もしくは背面部（前後の側壁）と、折り込み部（連結片が形成するひだ）とが重なり合う部分に透孔を設け、この透孔に提手の端部を取外し可能に設けた技術が提案されている（たとえば、特許文献４を参照）。
【０００４】
ところが、上述した特許文献４に記載された構造の包装袋では、側壁と、連結片が形成するひだとを、単に重ね合わせた状態で提手の端部を取り付けるものであることから、その重ね合わせ状態が包装袋の開口部という非常に目立つ部分に露呈し見栄えの良くないものとなっている。また、上述した特許文献４において提手は、側壁と、連結片が折り曲げられることで二層となったひだ部分と、を重ね合わせることで三層となった部分に取り付けられてはいるが、提手の取り付け部分は、包装袋の中に物品を収容することで大きな荷重が掛かることから、更なる強度の向上を図ることが求められている。
【先行技術文献】
【特許文献】
【０００５】
【特許文献１】実開昭５８−６５２１５号公報
【特許文献２】実開平２−１５４１２号公報
【特許文献３】実開平４−１００３８号公報
【特許文献４】特開２００２−３３７８４６号公報
【発明の概要】
【発明が解決しようとする課題】
【０００６】
本発明は、上記事情に鑑みて成されたものであり、接着剤を使用せずに折り上げるだけで包装容器を形成することができ、しかも、この折り上げた状態が容易に解かれることなく、かつ、包装容器として物品の収容がし易く、開口部の見栄えが良く、また、提手の取り付け部分の強度が向上し、さらに、折り上げた状態を解き拡げて平面状態に戻すことを可能とする構造を有するものとなるシート体と、このシート体を用いた物品を提供することを目的とする。
【課題を解決するための手段】
【０００７】
本発明に係る製袋可能なシート体は、物品を収容することが可能な立体的形状の袋体へ折り上げると共に、折り上げた状態を解き拡げて平面状態に戻すことを可能とするシート体であって、中央に配された底面領域部と、前記底面領域部を挟んで対向する二方にそれぞれ連設された第一面領域部及び第三面領域部と、前記底面領域部を挟んで他の対向する二方にそれぞれ連設された第二面領域部及び第四面領域部と、前記第一面領域部と前記第二面領域部、前記第二面領域部と前記第三面領域部、前記第三面領域部と前記第四面領域部、前記第一面領域部と前記第四面領域部、とに共に隣接する各位置にあたる四方にそれぞれ連設された四つの折り込み連結部と、前記第一面領域部及び前記三面領域部において、前記底面領域部と対向する位置にそれぞれ連設された二つの口折り返し部と、前記底面領域部と前記第一面領域部、前記底面領域部と前記第二面領域部、前記底面領域部と前記第三面領域部、前記底面領域部と前記第四面領域部、前記第一面領域部と前記各折り込み連結部、前記第二面領域部と前記各折り込み連結部、前記第三面領域部と前記各折り込み連結部、前記第四面領域部と前記各折り込み連結部、及び前記第一面領域部と前記口折り返し部、前記第三面領域部と前記口折り返し部、との各境界にそれぞれ設けられた谷折り用の折り線と、前記底面領域部と前記第一面領域部、前記底面領域部と前記第二面領域部、前記第一面領域部と前記折り込み連結部、前記第二面領域部と前記折り込み連結部、との各境界が互いに接する点、前記底面領域部と前記第二面領域部、前記底面領域部と前記第三面領域部、前記第二面領域部と前記折り込み連結部、前記第三面領域部と前記折り込み連結部、との各境界が互いに接する点、前記底面領域部と前記第三面領域部、前記底面領域部と前記第四面領域部、前記第三面領域部と前記折り込み連結部、前記第四面領域部と前記折り込み連結部、との各境界が互いに接する点、前記底面領域部と前記第一面領域部、前記底面領域部と前記第四面領域部、前記第一面領域部と前記折り込み連結部、前記第四面領域部と前記折り込み連結部、との各境界が互いに接する点、よりそれぞれが接する前記各折り込み連結部を二分するように外縁に向かってそれぞれ設けられた山折り用の折り線と、を備え、前記口折り返し部は、前記第一面領域部又は前記第三面領域部と折り重なる二つの前記折り込み連結部の縁部付近を共に被覆することとなるよう折り込み可能にそれぞれ設けられていることを特徴とする。
【０００８】
上記製袋可能なシート体において、折り線部分は、凹状もしくは凸状のスジ加工が施されているものとすると望ましい。
【０００９】
また、本発明に係る展開可能な包装容器は、一枚のシート体を用いて立体的形状に折り上げられていると共に、折り上げた状態を解き拡げて平面状態とすることを可能とする、物品を収容することが可能な包装容器であって、前記シート体は、中央に配された底面領域部と、前記底面領域部を挟んで対向する二方にそれぞれ連設された第一面領域部及び第三面領域部と、前記底面領域部を挟んで他の対向する二方にそれぞれ連設された第二面領域部及び第四面領域部と、前記第一面領域部と前記第二面領域部、前記第二面領域部と前記第三面領域部、前記第三面領域部と前記第四面領域部、前記第一面領域部と前記第四面領域部、とに共に隣接する各位置にあたる四方にそれぞれ連設された四つの折り込み連結部と、前記第一面領域部及び前記三面領域部において、前記底面領域部と対向する位置にそれぞれ連設された二つの口折り返し部と、前記底面領域部と前記第一面領域部、前記底面領域部と前記第二面領域部、前記底面領域部と前記第三面領域部、前記底面領域部と前記第四面領域部、前記第一面領域部と前記各折り込み連結部、前記第二面領域部と前記各折り込み連結部、前記第三面領域部と前記各折り込み連結部、前記第四面領域部と前記各折り込み連結部、及び前記第一面領域部と前記口折り返し部、前記第三面領域部と前記口折り返し部、との各境界にそれぞれ設けられた谷折り用の折り線と、前記底面領域部と前記第一面領域部、前記底面領域部と前記第二面領域部、前記第一面領域部と前記折り込み連結部、前記第二面領域部と前記折り込み連結部、との各境界が互いに接する点、前記底面領域部と前記第二面領域部、前記底面領域部と前記第三面領域部、前記第二面領域部と前記折り込み連結部、前記第三面領域部と前記折り込み連結部、との各境界が互いに接する点、前記底面領域部と前記第三面領域部、前記底面領域部と前記第四面領域部、前記第三面領域部と前記折り込み連結部、前記第四面領域部と前記折り込み連結部、との各境界が互いに接する点、前記底面領域部と前記第一面領域部、前記底面領域部と前記第四面領域部、前記第一面領域部と前記折り込み連結部、前記第四面領域部と前記折り込み連結部、との各境界が互いに接する点、よりそれぞれが接する前記各折り込み連結部を二分するように外縁に向かってそれぞれ設けられた山折り用の折り線と、を備え、前記シート体を折り上げた包装容器は、前記底面領域部によって形成された底面部と、前記第一面領域部及び前記第三面領域部の起き上がりによって形成された正面部及び背面部と、前記第二面領域部及び前記第四面領域部の起き上がりによって形成された右側面部及び左側面部と、を有する上方開口型の立体的形状となり、前記口折り返し部は、前記正面部又は前記背面部と折り重なる二つの前記折り込み連結部の縁部付近を共に被覆するように前記正面部又は前記背面部へ向かって折り込まれていると共に、折り上げた状態を解き拡げるために容易に伸張可能な折り込みとなっていることを特徴とする。
【００１０】
上記展開可能な包装容器は、正面部もしくは背面部と、二つの折り込み連結部と、口折り返し部とがそれぞれ重なった部分に、これらを貫通する少なくとも一対の孔部をさらに備えているものとすることができる。
【００１１】
また、上記各展開可能な包装容器は、内面に、折り上げた状態を解き拡げて平面状態に戻すことで確認できるメッセージ欄を備えているものとしても良い。
【００１２】
また、上記各展開可能な包装容器は、内面に、折り上げた状態を解き拡げて平面状態に戻すことで確認できる所望の印刷が施されているものとしても良い。
【００１３】
さらに、本発明に係る製袋可能なメッセージ帳は、複数枚のシート体が一縁側において互いに連結され、かつ、一枚ずつ容易に剥がし取ることができるように積層状態に構成され、一枚のシート体を折り上げることにより、物品を収容することが可能な立体的形状の袋体とすることができると共に、折り上げた状態を解き拡げて平面状態に戻すことを可能とする物品であって、前記シート体は、中央に配された底面領域部と、前記底面領域部を挟んで対向する二方にそれぞれ連設された第一面領域部及び第三面領域部と、前記底面領域部を挟んで他の対向する二方にそれぞれ連設された第二面領域部及び第四面領域部と、前記第一面領域部と前記第二面領域部、前記第二面領域部と前記第三面領域部、前記第三面領域部と前記第四面領域部、前記第一面領域部と前記第四面領域部、とに共に隣接する各位置にあたる四方にそれぞれ連設された四つの折り込み連結部と、前記第一面領域部及び前記三面領域部において、前記底面領域部と対向する位置にそれぞれ連設された二つの口折り返し部と、前記底面領域部と前記第一面領域部、前記底面領域部と前記第二面領域部、前記底面領域部と前記第三面領域部、前記底面領域部と前記第四面領域部、前記第一面領域部と前記各折り込み連結部、前記第二面領域部と前記各折り込み連結部、前記第三面領域部と前記各折り込み連結部、前記第四面領域部と前記各折り込み連結部、及び前記第一面領域部と前記口折り返し部、前記第三面領域部と前記口折り返し部、との各境界にそれぞれ設けられた谷折り用の折り線と、前記底面領域部と前記第一面領域部、前記底面領域部と前記第二面領域部、前記第一面領域部と前記折り込み連結部、前記第二面領域部と前記折り込み連結部、との各境界が互いに接する点、前記底面領域部と前記第二面領域部、前記底面領域部と前記第三面領域部、前記第二面領域部と前記折り込み連結部、前記第三面領域部と前記折り込み連結部、との各境界が互いに接する点、前記底面領域部と前記第三面領域部、前記底面領域部と前記第四面領域部、前記第三面領域部と前記折り込み連結部、前記第四面領域部と前記折り込み連結部、との各境界が互いに接する点、前記底面領域部と前記第一面領域部、前記底面領域部と前記第四面領域部、前記第一面領域部と前記折り込み連結部、前記第四面領域部と前記折り込み連結部、との各境界が互いに接する点、よりそれぞれが接する前記各折り込み連結部を二分するように外縁に向かってそれぞれ設けられた山折り用の折り線と、を備え、前記シート体は、少なくとも一面側にメッセージ欄を備え、前記折り線部に沿って折り上げて物品を収容することが可能な立体的形状とした際、前記メッセージ欄は露呈せず、折り上げた状態を解き拡げて平面状態に戻した際、前記メッセージ欄に記載された内容の確認ができるものとなることを特徴とする。
【発明の効果】
【００１４】
本発明に係る製袋可能なシート体は、接着剤を使用せずに折り線に沿って折り込むことで、本発明に係る展開可能な包装容器とすることができるものであり、第一面領域部又は第三面領域部と折り重なる二つの折り込み連結部の縁部付近を共に被覆することとなるよう折り込み可能に設けられた口折り返し部を備える。また、立体的形状に折り上げたときに口折り返し部は、折り込み連結部が自然と開いてしまうことのないよう、二つの折り込み連結部の縁部付近を被覆するように折り込まれるものとなっている。
【００１５】
ゆえに、本発明に係る製袋可能なシート体を折り上げて成形した本発明に係る展開可能な包装容器では、二つの折り込み連結部が口折り返し部の被覆によって押さえ込まれたものとなっている。したがって、口折り返し部が、第一面領域部の起き上がりによって形成された正面部又は第三面領域部の起き上がりによって形成された背面部と、二つの折り込み連結部とが折り重なる状態を維持し、折り上げた状態が容易に解かれてしまうことがないものとなっている。
【００１６】
また、本発明に係る展開可能な包装容器では、口折り返し部の被覆によって、二つの折り込み連結部が自然と開いてしまうことのないよう押さえ込まれ、折り込み連結部が邪魔にならず物品の収容がし易いものとなっていると共に、二つの折り込み連結部の折り重なる状態が露呈せず、開口部の見栄えが良いものとなっている。しかも、この口折り返し部は、単に折り込まれただけで容易に伸張可能な折り込みとなっているので、折り上げた状態を解いて拡げれば平面状態に戻すことが可能なものとなっている。
【００１７】
また、本発明に係る製袋可能なメッセージ帳は、複数枚のシート体が一縁側において互いに連結され、かつ、一枚ずつ容易に剥がし取ることができるように積層状態に構成されたものとなっている。また、このシート体は、本発明に係る製袋可能なシート体の構造を基本とするものであって、少なくとも一面側にメッセージ欄を備えたものとなっている。さらに、このシート体は、折り上げることで、本発明に係る展開可能な包装容器と同様に立体的形状とすることができるものとなっている。
【００１８】
ゆえに、シート体を一枚剥がし取り、メッセージ欄にメッセージを記入した後、折り線に沿って折り上げれば、メッセージを露呈させない立体的形状の袋体とすることができる。そして、この袋体を受け取った者だけが、折り上げた状態を解き拡げて平面状態に戻すことで、メッセージ欄に記載された内容の確認ができるものすることができる。しかも、形状が小さい物品であっても、折り上げた袋体の中に収容することで、メッセージと物品が分離することなく、確実に相手に渡すことができるものとなる。
【図面の簡単な説明】
【００１９】
【図１】本発明に係る製袋可能なシート体を示す平面図である。
【図２】本発明に係る製袋可能なシート体を折り上げる第一の状態を説明する斜視図である。
【図３】本発明に係る製袋可能なシート体を折り上げる第二の状態を説明する斜視図である。
【図４】本発明に係る製袋可能なシート体を折り上げる第三の状態を説明する斜視図である。
【図５】本発明に係る製袋可能なシート体を折り上げる第四の状態を説明する斜視図である。
【図６】本発明に係る製袋可能なシート体を折り上げた状態であって、本発明に係る展開可能な包装容器を示す斜視図である。
【図７】本発明に係る製袋可能なシート体の折り上げにおいて、（Ａ）口折り返し部を折り込む前の状態を示す部分拡大平面図、（Ｂ）口折り返し部を折り込んだ後の状態を示す部分拡大平面図である。
【図８】本発明に係る第二の製袋可能なシート体を示す平面図である。
【図９】本発明に係る第二の製袋可能なシート体を折り上げた状態であって、（Ａ）本発明に係る第二の展開可能な包装容器を示す底面部側斜視図、（Ｂ）本発明に係る第二の展開可能な包装容器を平面的に折り畳んだ状態を示す底面部側斜視図である。
【図１０】本発明に係る第三の製袋可能なシート体を示す平面図である。
【図１１】本発明に係る第三の製袋可能なシート体を折り上げた状態であって、口折り返し部付近を部分的に示す中央縦断面図である。
【図１２】本発明に係る第三の製袋可能なシート体を折り上げた状態であって、（Ａ）開口部付近に設けた孔部に手提げ用の紐体を取り付ける状態を示す開口部側斜視図、（Ｂ）開口部付近に設けた孔部に手提げ用の紐体を取り付けた本発明に係る第三の展開可能な包装容器を示す開口部側斜視図である。
【図１３】本発明に係る製袋可能なメッセージ帳を示す斜視図である。
【図１４】本発明に係る製袋可能なメッセージ帳から剥がし取った一枚のシート体を示す平面図である。
【図１５】本発明に係る製袋可能なメッセージ帳から剥がし取ったシート体を折り上げた展開可能な包装容器であって、（Ａ）その中に物品を収容する状態を示す斜視図、（Ｂ）物品を収容して開口部を閉じた状態を示す斜視図である。
【発明を実施するための形態】
【００２０】
以下、本発明に係る製袋可能なシート体、展開可能な包装容器、及び製袋可能なメッセージ帳の実施の形態の一例について、図面に基づき説明する。
なお、図面では、シート体の厚みは考慮せず模式的に描かれたものとなっている。
【００２１】
本発明に係る製袋可能なシート体は、接着剤を使用せずに折り線に沿って折り上げることで、本発明に係る展開可能な包装容器とすることができるものである。また、本発明に係る展開可能な包装容器は、折り上げた状態を解いて拡げれば平面状態に戻すことが可能なものとなっている。そして、本発明に係る製袋可能なメッセージ帳は、本発明に係る製袋可能なシート体と同じ構造を有する複数のシート体から構成され、一枚のシート体を折り込むことで、本発明に係る展開可能な包装容器と同じ構造を有する包装容器とすることができるものである
【００２２】
また、以下に述べる実施の形態は、本発明の好適な具体例であるため技術的に種々の限定が付されているが、本発明の範囲は、以下の説明において特に限定する旨の記載がない限り、これらの形態に限られるものではない。
【００２３】
＜第１の実施の形態＞
本実施の形態における製袋可能なシート体（以下、単に「シート体」という。）は、物品を収容することが可能な立体的形状の袋体へ折り上げると共に、折り上げた状態を解き拡げて平面状態に戻すことを可能とするものであって、その構造は、たとえば、図１において示すことができる。
【００２４】
図１に示すように、本実施の形態におけるシート体Ｓ１は、中央に底面領域部５Ａが配されたものとなっている。この底面領域部５Ａは、シート体Ｓ１を折り上げて袋体としたときに、底面部５を形成することとなる部分である。
図１において、底面領域部５Ａは、互いに対向する二対の辺部がそれぞれ平行であり、上下に対向する辺部が長く、左右に対向する辺部が短い横長矩形状（横長長方形）をしたものとして示されている。
【００２５】
シート体Ｓ１において、この底面領域部５Ａを挟んで対向する長辺側の二方に、第一面領域部１Ａ及び第三面領域部３Ａがそれぞれ連設されると共に、この底面領域部を挟んで他の対向する短辺側の二方に、第二面領域部２Ａ及び第四面領域部４Ａとがそれぞれ連設して配されたものとなっている。この第一面領域部１Ａと第三面領域部３Ａは、シート体Ｓ１を折り上げて袋体としたときに、正面部１と背面部３を形成することとなる部分であり、第二面領域部２Ａと第四面領域部４Ａは、シート体Ｓ１を折り上げて袋体としたときに、右側面部２と左側面部４を形成することとなる部分である。なお、この右側面部２と左側面部４は、いわゆる襠部となる部分である。
【００２６】
図１において、底面領域部５Ａの下方に第一面領域部１Ａ、同上方に第三面領域部３Ａ、同右方に第二面領域部２Ａ、及び同左方に第四面領域部４Ａがそれぞれ位置するものとして示されている。
【００２７】
また、第一面領域部１Ａと第三面領域部３Ａは、袋体の正面部１と背面部３を形成することから同形同大をしたものであり、図１において、底面領域部５Ａの長辺と同じ長さの四辺を有する正方形をしたものとして示されている。
なお、第一面領域部１Ａと第三面領域部３Ａは、必ずしも正方形である必要はなく、図１において、底面領域部５Ａの上下の辺部の長さと同じ長さの横幅を有する、横長長方形もしくは縦長長方形をしたものであっても良い。
【００２８】
また、第二面領域部２Ａと第四面領域部４Ａは、袋体の右側面部２と左側面部４を形成することから同形同大をしたものであり、図１において、底面領域部５Ａの長辺と同じ長さの二辺と、底面領域部５Ａの短辺と同じ長さの二辺を有する長方形をしたもの、すなわち、底面領域部５Ａと同形同大をしたものとして示されている。
なお、第二面領域部２Ａと第四面領域部４Ａは、必ずしも底面領域部５Ａと同形同大となるものではないが、後述する折り込み連結部の二つが折り重なる領域が多くなり、折り上げ状態の維持や、提手の取り付け部分の強度向上に寄与することとなるので、底面領域部５Ａと同形同大とした方が望ましい。
【００２９】
また、シート体Ｓ１において、第一面領域部１Ａと第二面領域部２Ａとに共に隣接する位置、第二面領域部２Ａと第三面領域部３Ａとに共に隣接する位置、第三面領域部３Ａと第四面領域部４Ａとに共に隣接する位置、及び第一面領域部１Ａと第四面領域部４Ａとに共に隣接する位置、にあたる四方に折り込み連結部７−１，７−２，７−３，７−４がそれぞれ連設して配されたものとなっている。
【００３０】
すなわち、図１において、第一面領域部１Ａと第二面領域部２Ａとに共に隣接する位置にあたる右下方には第一の折り込み連結部７−１が連設して配され、第二面領域部２Ａと第三面領域部３Ａとに共に隣接する位置にあたる右上方には第二の折り込み連結部７−２が連設して配され、第三面領域部３Ａと第四面領域部４Ａとに共に隣接する位置にあたる左上方には第三の折り込み連結部７−３が連設して配され、第一面領域部１Ａと第四面領域部４Ａとに共に隣接する位置にあたる左下方には第四の折り込み連結部７−３が連設して配されたものとなっている。
【００３１】
これら四つの折り込み連結部７−１，７−２，７−３，７−４は、第一面領域部１Ａと第三面領域部３Ａ、及び第二面領域部２Ａと第四面領域部４Ａによって、形状や大きさが左右されるものとなる。ゆえに、上述したように折り上げ状態の維持や、提手の取り付け部分の強度向上に寄与することとなるため、できるだけ折り重なる領域が多くなくなるように、第一面領域部１Ａ及び第三面領域部３Ａと同形同大とすることが望ましい。
なお、図１において、四つの折り込み連結部７−１，７−２，７−３，７−４は、第一面領域部１Ａ及び第三面領域部３Ａと同形同大をした正方形として示されている。
【００３２】
さらに、シート体Ｓ１において、第一面領域部１Ａにおける底面領域部５Ａと対向する位置に、第一の口折り返し部８−１が突出するように連設して配されていると共に、第三面領域部３Ａにおける底面領域部５Ａと対向する位置に、第二の口折り返し部８−２が突出するように連設して配されたものとなっている。
【００３３】
図１において、この第一の口折り返し部８−１は、第一面領域部１Ａの左右に連設された折り込み連結部、すなわち、第一の折り込み連結部７−１と第四の折り込み連結部７−４の外縁より突出するように設けられている。一方、第二の口折り返し部８−２は、第三面領域部３Ａの左右に連設された折り込み連結部、すなわち、第二の折り込み連結部７−２と第三の折り込み連結部７−３の外縁より突出するように設けられたものとなっている。ゆえに、シート体Ｓ１の外形は、上縁部及び下縁部の中央部分が少し突出した、全体的に歪な略十字形状をしたものとなっている。
【００３４】
また、シート体Ｓ１は、底面領域部５Ａと第一面領域部１Ａとの境界に谷折り用の折り線１５と、底面領域部５Ａと第二面領域部２Ａとの境界に谷折り用の折り線２５と、底面領域部５Ａと第三面領域部３Ａとの境界に谷折り用の折り線３５と、底面領域部５Ａと第四面領域部４Ａとの境界に谷折り用の折り線４５とをそれぞれ備える。
【００３５】
また、シート体Ｓ１は、第一面領域部１Ａと第一の折り込み連結部７−１との境界に谷折り用の折り線１２、第一面領域部１Ａと第四の折り込み連結部７−４との境界に谷折り用の折り線１４、第一面領域部１Ａと第一の口折り返し部８−１との境界に谷折り用の折り線１８をそれぞれ備える。また、シート体Ｓ１は、第二面領域部２Ａと第一の折り込み連結部７−１との境界に谷折り用の折り線２１、第二面領域部２Ａと第二の折り込み連結部７−２との境界に谷折り用の折り線２３をそれぞれ備える。また、シート体Ｓ１は、第三面領域部３Ａと第二の折り込み連結部７−２との境界に谷折り用の折り線３２、第三面領域部３Ａと第三の折り込み連結部７−３との境界に谷折り用の折り線３４、第三面領域部３Ａと第二の口折り返し部８−２との境界に谷折り用の折り線３８をそれぞれ備える。また、シート体Ｓ１は、第四面領域部４Ａと第三の折り込み連結部７−３との境界に谷折り用の折り線４３、第四面領域部４Ａと第四の折り込み連結部７−４との境界に谷折り用の折り線４１をそれぞれ備える。
【００３６】
さらに、シート体Ｓ１は、底面領域部５Ａと第一面領域部１Ａ、底面領域部５Ａと第二面領域部２Ａ、第一面領域部１Ａと第一の折り込み連結部７−１、第二面領域部２Ａと第一の折り込み連結部７−１、との各境界が互いに接する点、底面領域部５Ａと第二面領域部２Ａ、底面領域部５Ａと第三面領域部３Ａ、第二面領域部２Ａと第二の折り込み連結部７−２、第三面領域部３Ａと第二の折り込み連結部７−２、との各境界が互いに接する点、底面領域部５Ａと第三面領域部３Ａ、底面領域部５Ａと第四面領域部４Ａ、第三面領域部３Ａと第三の折り込み連結部７−３、第四面領域部４Ａと第三の折り込み連結部７−３、との各境界が互いに接する点、及び底面領域部５Ａと第一面領域部１Ａ、底面領域部５Ａと第四面領域部４Ａ、第一面領域部１Ａと第四の折り込み連結部７−４、第四面領域部４Ａと第四の折り込み連結部７−４、との各境界が互いに接する点、よりそれぞれが接する各折り込み連結部７−１，７−２，７−３，７−４を二分するように外縁に向かって山折り用の折り線７１，７２，７３，７４を備えている。
【００３７】
すなわち、シート体Ｓ１は、上述した折り線１５と折り線２５と折り線１２と折り線２３との接点Ｐ１より、これに接している第一の折り込み連結部７−１を二分するように外縁に向かって山折り用の折り線７１を備える。また、シート体Ｓ１は、上述した折り線２５と折り線３５と折り線２３と折り線３２との接点Ｐ２より、これに接している第二の折り込み連結部７−２を二分するように外縁に向かって山折り用の折り線７２を備える。また、シート体Ｓ１は、上述した折り線３５と折り線４５と折り線３４と折り線４３との接点Ｐ３より、これに接している第三の折り込み連結部７−３を二分するように外縁に向かって山折り用の折り線７３を備える。また、シート体Ｓ１は、上述した折り線１５と折り線４５と折り線１４と折り線４１との接点Ｐ４より、これに接している第四の折り込み連結部７−４を二分するように外縁に向かって山折り用の折り線７４を備える。
【００３８】
このようなシート体Ｓ１は、上述した各折り返し部に従って、山折りもしくは谷折りされることにより立体的形状の袋体に折り上げられるものとなるため、折り上げることが可能な柔軟性を有し、かつ、折り上げて袋体としたときに内部に物品を収容しても破袋することのない強度を有することとなる薄厚体であれば、素材は特に限定するものでない。したがってシート体Ｓ１としては、たとえば、洋紙、和紙、木、布、不織布、ストーンペーパー、合成樹脂、などを用いることができる。
【００３９】
また、シート体Ｓ１において、折り線部分は、凹状もしくは凸状のスジ加工が施されているものとすると望ましい。折り線部分のスジ加工は、たとえば、全ての折り線部分に凹状のスジ加工が施されたものとしても良いし、全ての折り線部分に凸状のスジ加工が施されたものとしても良い。また、山折り用の折り線部分には凹状のスジ加工が施され、谷折り用の折り線部分には凸状のスジ加工が施されたものとしても良い。
【００４０】
このシート体Ｓ１において、第一の口折り返し部８−１は、第一面領域部１Ａと折り重なることとなる隣接する二つの折り込み連結部、すなわち、第一の折り込み連結部７−１と第四の折り込み連結部７−４の縁部付近を共に被覆することとなるよう折り込み可能に設けられている。また、第二の口折り返し部８−２は、第三面領域部３Ａと折り重なることとなる隣接する二つの折り込み連結部、すなわち、第二の折り込み連結部７−２と第三の折り込み連結部７−３の縁部付近を共に被覆することとなるよう折り込み可能に設けられている。
【００４１】
次に、シート体Ｓ１を折り上げる手順の一例について、図１乃至図６に基づいて説明する
まず、図１に示すシート体Ｓ１において、第三面領域部３Ａを起き上がらせるように折り線３５と、これに連設する折り線２３，４３に沿って谷折りする。
また、折り線３５，２３，４３に沿う折り込みを一旦解いてから、第四面領域部４Ａを起き上がらせるように折り線４５と、これに連設する折り線１４，３４に沿って谷折りする。
さらに、第三の折り込み連結部７−３を二つ折りするように折り線７３に沿って山折りする。
そうすると、図２示すように、第三面領域部３Ａの起き上がりによって背面部３が形成されると共に、第四面領域部４Ａの起き上がりによって左側面（襠）部４が形成され、第三の折り込み連結部７−３が背面部３に沿って折り込まれたものとなる。
【００４２】
次に、図２において、第二面領域部２Ａを起き上がらせるように折り線２５と、これに連設する折り線１２，３２に沿って谷折りすると共に、第二の折り込み連結部７−２を二つ折りするように折り線７２に沿って山折りする。
そうすると、図３示すように、第二面領域部２Ａの起き上がりによって右側面（襠）部２が形成され、第二の折り込み連結部７−２が背面部３に沿って折り込まれたものと共に、第二の折り込み連結部７−２と第三の折り込み連結部７−３が折り重なったものとなる。
【００４３】
引き続き、図３において矢印で示すように、第二の口折り返し部８−２を、背面部３と折り重なる二つの折り込み連結部７−２，７−３の縁部付近を共に被覆するように、折り線３８に沿って折り込む。
そうすると、図４示すように、第二の口折り返し部８−２が背面部３に向かって折り返され、二つの折り込み連結部７−２，７−３の折り重なり状態が第二の口折り返し部８−２によってまとめて維持されるものとなる。
なお、第二の口折り返し部８−２の折り込みは、接着剤を使用しない単なる折り込みであるので、両側縁部と右側面（襠）部２及び左側面（襠）部４との接触を解けば、折り上げた状態を解き拡げるために容易に伸張可能なものとなっている。
【００４４】
引き続き、図４において、第一面領域部１Ａを起き上がらせるように折り線１５と、これに連設する折り線２１，４１に沿って谷折りすると共に、第一の折り込み連結部７−１を二つ折りするように折り線７１に沿って、及び第四の折り込み連結部７−４を二つ折りするように折り線７４に沿って、それぞれ山折りする。
そうすると、図５示すように、第一面領域部１Ａの起き上がりによって正面部１が形成され、第一の折り込み連結部７−１と第四の折り込み連結部７−４が正面部１に沿って折り込まれたものと共に、第一の折り込み連結部７−１と第四の折り込み連結部７−４が折り重なったものとなる。
【００４５】
そして、第一の口折り返し部８−１を、正面部１と折り重なる二つの折り込み連結部７−１，７−４の縁部付近を共に被覆するように、折り線１８に沿って折り込む。
そうすると、図６示すように、第一の口折り返し部８−１が正面部１に向かって折り返され、二つの折り込み連結部７−１，７−４の折り重なり状態が第一の口折り返し部８−１によってまとめて維持されるものとなり、物品を収容することが可能な立体的形状をした本実施の形態における展開可能な包装容器（以下、単に「包装容器」という。）１０が折り上げられることになる。
なお、第一の口折り返し部８−１の折り込みも、第二の口折り返し部８−２と同様に、接着剤を使用しない単なる折り込みであるので、両側縁部と右側面（襠）部２及び左側面（襠）部４との接触を解けば、折り上げた状態を解き拡げるために容易に伸張可能なものとなっている。
【００４６】
ここで、正面部１と第一の折り込み連結部７−１と第四の折り込み連結部７−４、及び背面部３と第二の折り込み連結部７−２と第三の折り込み連結部７−３との関係について説明する。
まず、図２において示すように、第三の折り込み連結部７−３が、折り線３４，４３及び７３に沿って折り込まれると共に、図３において示すように、第二の折り込み連結部７−２が、折り線２３，３２及び７２に沿って折り込まれると、図７（Ａ）に示すように、背面部３と二つの折り込み連結部７−２，７−３とが折り重なったものとなる。また、図５において示すように、第一の折り込み連結部７−１が、折り線１２，２１及び７１に沿って折り込まれると共に、第四の折り込み連結部７−４が、折り線１４，４１及び７４に沿って折り込まれると、図７（Ａ）に示すように、正面部１と二つの折り込み連結部７−１，７−４とが折り重なったものとなる。
【００４７】
そして、図３において示すように、第二の口折り返し部８−２を折り線３８に沿って折り込むと共に、図５において示すように、第一の口折り返し部８−１を、折り線１８に沿って折り込むと、図７（Ｂ）に示すように、第二の口折り返し部８−２は、背面部３と折り重なった二つの折り込み連結部７−２，７−３を被覆するように折り込まれると共に、第一の口折り返し部８−１は、正面部１と折り重なった二つの折り込み連結部７−１，７−４を被覆するように折り込まれたものとなる。
【００４８】
これにより、包装容器１０の開口部という非常に目立つ部分において、折り重なった二つの折り込み連結部７−１，７−４（７−２，７−３）の重ね合わせ状態が口折り返し部８−１（８−２）によって覆われて露呈しないものとなり、見栄えの良いものとすることができる。
しかも、この状態において第一の口折り返し部８−１と第二の口折り返し部８−２の両側縁部は、それぞれ右側面（襠）部２及び左側面（襠）部４の内面に接し、無闇に折り返し状態が解かれて伸張しないように折り返し状態を維持するものとなっている。
【００４９】
このように一枚のシート体Ｓ１を用いて折り上げた包装容器１０は、底面領域部５Ａによって形成された底面部５と、第一面領域部１Ａの起き上がりによって形成された正面部１と、第三面領域部３Ａの起き上がりによって形成された背面部３と、第二面領域部２Ａの起き上がりによって形成された右側面（襠）部２と、第四面領域部４Ａの起き上がりによって形成された左側面（襠）部４とを有し、貼り合わせ箇所を持たない上方開口型の立体的形状となる。
したがって、シート体Ｓ１は、プレゼントや記念品、購入した商品、サンプル品などを収容する包装容器１０として用いることができる。
【００５０】
また、この包装容器１０は、接着剤を使用せずに折り上げられているので、上述したシート体Ｓ１を折り上げる手順とは逆に、第一の口折り返し部８−１及び第二の口折り返し部８−２の折り返しを元に戻すように伸張させることで、折り上げた状態を解き拡げて平面状態とすることができるものとなっている。
【００５１】
ゆえに、シート体Ｓ１は、おにぎりやサンドイッチ、お弁当といった食べ物の包装容器１０として用いる場合、折り上げた状態を解き拡げて平面状態に戻すことで、簡易的なランチョンマットやレジャーシートとして用いることができるものとなる。
【００５２】
また、シート体Ｓ１は、少なくとも一面（内面）側に、折り上げた状態を解き拡げて平面状態に戻すことで確認できるメッセージ欄を備えているものとしても良い。シート体Ｓ１の一面にメッセージ欄を設けることで、折り上げた包装容器１０にプレゼントや記念品等を収容して贈る際、プレゼント等と共に、相手へのメッセージや、寄せ書き、絵などを添えることができるものとなる。
【００５３】
また、シート体Ｓ１は、少なくとも一面（内面）側に、折り上げた状態を解き拡げて平面状態に戻すことで確認できる所望の印刷が施されているものとしても良い。シート体Ｓ１の一面に商品説明、会社案内、アイドル、キャラクター、地図、といった所望の印刷を施しておくことで、折り上げた包装容器１０に購入した商品やサンプル品を収容して手渡す際、その商品に関連する内容を相手へ伝えることや、ポスター、案内図として用いることができるものとなる。
【００５４】
また、シート体Ｓ１は、何れか一面に所望の印刷と共に切り取り線を設けるものとしても良い。シート体Ｓ１の一面に印刷を施すと共に切り取り線を設けることで、折り上げた包装容器１０を解き拡げて平面状態に戻し、切り取り線に沿って切り抜くことでポップやペーパークラフト、割引券（クーポン）などの二次利用ができるものとなる。
【００５５】
もちろん、シート体Ｓ１に印刷等は何も施さず無地とし、折り上げた包装容器１０を受け取った者が折り上げた状態を解き拡げて平面状態に戻し、一面をキャンバスと用いて自ら好きな絵を描くことで、自分だけのオリジナル包装容器として再利用できるようにしても良い。
【００５６】
＜第２の実施の形態＞
また、本発明においてシート体は、折り上げた包装容器を平面的に折り畳むようにすることもできる。すなわち、上述した第１の実施の形態とは、シート体が、包装容器の右側面（襠）部と左側面（襠）部、及び底面部を平面的に折り畳むことを可能とする折り線を備える点で異なる。
【００５７】
なお、以下に述べる他の各実施の形態では、上述した第一の実施の形態と異なる部分を中心に説明する。したがって、第１の実施の形態と同様の構成部分は同じ符号を付してその説明は省略し、特に説明しない限り同じであるものとする。
【００５８】
図８に示すように、本実施の形態におけるシート体Ｓ２は、基本的に上述した第１の実施の形態におけるシート体Ｓ１と同じ構造を有し、さらに、右側面（襠）部２を幅方向に沿って二つ折りする折り線２６，２７，２８，２９と、左側面（襠）部４を幅方向に沿って二つ折りする折り線４６，４７，４８，４９と、底面部５を幅方向に沿って二つ折りする折り線５６と、をそれぞれ備える。
【００５９】
図８において、右側面（襠）部２、左側面（襠）部４、及び底面部５は共に、内側へ向かって折り込まれることで包装容器を平面的に折り畳むことを可能とするものとして示されている。
ゆえに、右側面（襠）部２は、その外縁から底面部５の近傍まで、具体的には、右側面（襠）部２の幅の１／２の長さを残して設けられた山折り用の折り線２６を備える。また、右側面（襠）部２は、折り線２６の端部から折り線１５と折り線２５と折り線１２と折り線２３との接点Ｐ１まで設けられた山折り用の折り線２７と、折り線２６の端部から折り線２５と折り線３５と折り線２３と折り線３２との接点Ｐ２まで設けられた山折り用の折り線２８とをそれぞれ備える。さらに、右側面（襠）部２は、折り線２６の端部から底面部５まで設けられた谷折り用の折り線２９を備える。
【００６０】
一方、左側面（襠）部４は、その外縁から底面部５の近傍まで、具体的には、左側面（襠）部４の幅の１／２の長さを残して設けられた山折り用の折り線４６を備える。また、左側面（襠）部４は、折り線４６の端部から折り線３５と折り線４５と折り線３４と折り線４３との接点Ｐ３まで設けられた山折り用の折り線４７と、折り線４６の端部から折り線１５と折り線４５と折り線１４と折り線４１との接点Ｐ４まで設けられた山折り用の折り線４８とそれぞれ備える。さらに、左側面（襠）部４は、折り線４６の端部から底面部５まで設けられた谷折り用の折り線４９を備える。
【００６１】
そして、底面部５は、右側面（襠）部２から左側面（襠）部４まで設けられた山折り用の折り線５６を備える。
ゆえに、図９（Ａ）に示すように、シート体Ｓ２を用いて折り上げた包装容器２０は、図９（Ｂ）に示すように、右側面（襠）部２と左側面（襠）部４、及び底面部５に設けられた折り線に沿って折り込むことで、平面的に折り畳まれたものとすることができる。
【００６２】
以上のように構成したシート体Ｓ２は、必要な時にシート体Ｓ２を折り上げて立体的形状をした包装容器２０を形成するよりも、事前にシート体Ｓ２を折り上げて立体的形状をした包装容器２０とし、これを平面的に折り畳んで保管しておくことで、必要な時に素早く立体的形状をした包装容器２０を提供することができるものとなる。しかも、平面的に折り畳まれた包装容器２０は、大きな収容スペースを取らずに保管しておくことができる。
【００６３】
＜第３の実施の形態＞
また、本発明においてシート体は、手に提げて用いるようにする包装容器となるようにすることもできる。すなわち、上述した第１の実施の形態及び第２の実施の形態とは、シート体が提手の取り付けを可能とする孔部をさらに備える点で異なる。
【００６４】
図１０に示すように、本実施の形態におけるシート体Ｓ３は、基本的に上述した第１の実施の形態におけるシート体Ｓ１もしくは第２の実施の形態におけるシート体Ｓ２と同じ構造を有し、さらに、正面部と、これに折り重なる二つの折り込み連結部と、これを覆う口折り返し部とがそれぞれ重なることとなる部分、及び背面部と、これに折り重なる二つの折り込み連結部と、これを口折り返し部とがそれぞれ重なることとなる部分に、これらを貫通する少なくとも一対の孔部をさらに備える。
【００６５】
図１０において、正面部１における第一の口折り返し部８−１側近傍、背面部３において第二の口折り返し部８−２側近傍、第一の折り込み連結部７−１における下縁部近傍及び右縁部近傍、第二の折り込み連結部７−２における上縁部近傍及び右縁部近傍、第三の折り込み連結部７−３における上縁部近傍及び左縁部近傍、第四の折り込み連結部７−１における下縁部近傍及び左縁部近傍、及び第一の口折り返し部８−１と第二の口折り返し部８−２の高さ方向略中央に、所定間隔を有して一対の孔部６，６がそれぞれ設けられたものとして示されている。
【００６６】
そして、このシート体Ｓ３を上述した第１の実施の形態におけるシート体Ｓ１や第２の実施の形態におけるシート体Ｓ２と同様に折り上げると、図１１に示すように、包装容器の開口部付近に、提手の取り付けを可能とする孔部６を有するものとなる。しかも、この孔部６は、一層からなる正面部１（又は背面部３）と、二つ折りされて二層となり、かつ、二つが重なって四層となる折り込み連結部７−１，７−４（７−２，７−３）と、一層からなる口折り返し部（８−１，８−２）と、が重なって六層になっている部分を共に貫通するものである。
ゆえに、提手を孔部６に取り付けた場合、包装袋の中に物品を収容することで大きな荷重が掛っても、開口部付近が破損しないように強度の向上が図られたものとなっている。
【００６７】
そして、図１２に示すように、孔部６には、提手用の紐体９が挿通され、端部をこぶ結びして取り付けられるものとなる。
図１２（Ａ）において、正面部１に設けられた一対の孔部６，６には未だ紐体９は取り付けられておらず、背面部３に設けられた一対の孔部６，６の一方にはこぶ結び９Ａされた紐体９の一端９ａ側が取り付けられ、同他方には紐体９の他端９ｂ側が挿通され、これからこぶ結びする前の状態が示されている。また、図１２（Ｂ）において、正面部１に設けられた一対の孔部６，６にも紐体９が取り付けられた包装容器３０が示されている。
【００６８】
なお、包装容器３０の一面のメッセージや、所望の印刷等を確認する場合、まず、紐体９の両端部１ａ，１ｂに形成したこぶ結び９Ａの何れか一方を解いて紐体９を孔部６より引き抜くものとする。次いで、口折り返し部８−１，８−２の折り返しを元に戻すように伸張させることで、折り上げた状態を解き拡げて平面状態とすることができるものとなっている。
【００６９】
上述したシート体Ｓ３を折り上げた包装容器においては、各孔部６，６に予め紐体９をそれぞれ取り付けて包装容器３０とするものとしても良いし、所望の紐体を後から取り付ける（交換する）ことができるように別途紐体９が添えられているものとしても良い。これにより、和紙のシート体Ｓ３と真田紐の紐体９といった所望の組み合わせをすることができる。
【００７０】
＜第４の実施の形態＞
また、本発明においては、上述した第１の実施の形態におけるシート体Ｓ１の構造を用いて他の物品とすることもできる。
すなわち、図１３に示すように、本実施の形態における製袋可能なメッセージ帳（以下、単に「メッセージ帳」という。）５１は、複数枚のシート体Ｓ５・・Ｓ５が一縁側において互いに連結され、かつ、一枚ずつ容易に剥がし取ることができるように積層状態に構成されたものとなっている。
【００７１】
また、図１４に示すように、このシート体Ｓ５は、少なくとも一面側にメッセージ欄５２を備えるメッセージ用紙であって、本発明に係る製袋可能なシート体のように、一枚のシート体を折り上げることにより、物品を収容することが可能な立体的形状の袋体とすることができると共に、本発明に係る展開可能な包装容器のように、折り上げた状態を解き拡げて平面状態に戻すことを可能とするものである。
【００７２】
ゆえに、本実施の形態におけるメッセージ帳５１は、たとえば、メッセージ欄５２に所望のメッセージを記載した後、一枚のシート体Ｓ５を剥がし取り、メッセージ欄５２が内側となるように折り上げることで、メッセージが露呈しないメッセージ付きの包装容器５０とすることができる。
しかも、折り上げられた包装容器５０の中には、図１５（Ａ）において矢印で示すように、メッセージを受け取る相手に渡したい所望の物品を収容することができ、さらに、図１５（Ｂ）に示すように、その開口部をクリップＣ等で閉じることもできる。
【００７３】
そして、この包装容器５０を受け取った者は、クリップＣを外してからその中に入っている物品を取り出した後、折り上げた状態を解き拡げて平面状態に戻すことで、メッセージ欄５２に記載されたメッセージの内容を確認できるものとなる。
これにより、メッセージが露呈せず、かつ、メッセージと共に相手に渡したい物品がむき出しになったり、紛失したりしてしまうことなく、相手へ渡すことができるものとなる。しかも、メッセージ用紙の上に物品を重石のように置いておく場合と比べ、メッセージ帳５１から剥がし取ったシート体Ｓ５を折り上げた包装容器５０の中に物品を収容しておく方が、非常に見栄えの良いものとなる。
【００７４】
以上のような構成をした本実施の形態におけるメッセージ帳５１は、一筆便箋もしくはお手紙袋として、次のようにして用いることができる。
たとえば、学校で友達と喧嘩してしまった場合、メッセージ欄５２に「さっきはごめんね。」といったメッセージを記載すると共に、包装容器５０の中にキャラメルやキャンディー、チョコレートといったお菓子を入れて手渡すか、包装容器５０の正面部に友達の名前を書いて教室の机の上に置いておく。そうすると、包装容器５０を受け取った友達が中に収容されているお菓子を受け取ると共に、包装容器５０の折り上げた状態を解き拡げて平面状態に戻すことで、メッセージ欄５２に記載したメッセージを確認するものとなる。
これによりメッセージ帳５１は、照れくさくて面と向かっては言えないことを相手に伝える際のコミュニケーションツールとして用いることができるものとなる。
【００７５】
また、外出中の同僚に重要な書類を渡さなければならない場合、メッセージ欄５２に「お疲れ様です。書類の入っている引き出しのカギです。ヨロシク！」といったメッセージを記載すると共に、包装容器５０の中に引き出しのカギを入れ、包装容器５０の正面部に同僚の名前を書いて同僚の机の上に置いておく。そうすると、包装容器５０を受け取った同僚が中に収容されているカギを受け取ると共に、包装容器５０の折り上げた状態を解き拡げて平面状態に戻すことで、メッセージ欄５２に記載したメッセージを確認するものとなる。
これによりメッセージ帳５１は、同僚が外出先から帰るのを待つことなく、重要な書類を部外者の目に触れさせることなく同僚に渡す際のコミュニケーションツールとして用いることができるものとなる。
【００７６】
また、親が仕事で帰りが遅くなり、子供に食事の支度が出来そうにない場合、メッセージ欄５２に「ごめんね、帰りが遅くなります。これでお弁当を買って先に食べてね。」といったメッセージを記載すると共に、包装容器５０の中にお金を入れ、包装容器５０の正面部に子供の名前を書いてリビングのテーブルの上に置いておく。そうすると、包装容器５０を受け取った子供が中に収容されているお金を受け取ると共に、包装容器５０の折り上げた状態を解き拡げて平面状態に戻すことで、メッセージ欄５２に記載したメッセージを確認するものとなる。
これによりメッセージ帳５１は、お金をむき出しで無造作に置くことなく、子供にお金を渡す際のコミュニケーションツールとして用いることができるものとなる。
【００７７】
なお、シート体Ｓ５には、予め折り線部を設けるようにしても良いが、メッセージを記載する際に支障をきたすようであれば、メッセージ帳５１の表紙などに折り方の説明図を記載したり、折り方を記載した説明書を別途添えたりするものとしても良い。
【符号の説明】
【００７８】
Ｓ１，Ｓ２，Ｓ３，Ｓ５  シート体、１  正面部、１Ａ  正面領域部、２  右側面部、２Ａ  右側面領域部、３  背面部、３Ａ  背面領域部、４  左側面部、４Ａ  左側面領域部、５  底面部、５Ａ  底面領域部、６  孔部、７−１，７−２，７−３，７−４  折り込み連結部、８−１，８−２  口折り返し部、９  紐体（提げ手）、９ａ  一端、９ｂ  他端、９Ａ  こぶ結び、１０，２０，３０，５０  包装容器、５１  メッセージ帳、５２  メッセージ欄、１２，１４，１５，１８，２１，２３，２５，３２，３４，３５，３８，４１，４３，４５，４９  谷折り用折り線、４６，４７，４８，７１，７２，７３，７４  山折り用折り線部。
【図１】
2019034746.tif 000003
【図２】
2019034746.tif 000004
【図３】
2019034746.tif 000005
【図４】
2019034746.tif 000006
【図５】
2019034746.tif 000007
【図６】
2019034746.tif 000008
【図７】
2019034746.tif 000009
【図８】
2019034746.tif 000010
【図９】
2019034746.tif 000011
【図１０】
2019034746.tif 000012
【図１１】
2019034746.tif 000013
【図１２】
2019034746.tif 000014
【図１３】
2019034746.tif 000015
【図１４】
2019034746.tif 000016
【図１５】
2019034746.tif 000017